(57)【要約】【課題】よりユーザーに飽きのこないスライドショーを行う画像表示装置を提供する。【解決手段】計時された現在の年月日に基づいて月齢Ｍを導出し、導出した月齢Ｍに基づいて釣りの成功確率Ｒを導出する（ステップＳ１００〜ステップＳ１３０）。続いて、画像を釣る様子を表す動画を表示部に表示させる（ステップＳ１６０〜Ｓ１８０）。そして、導出した成功確率Ｒに基づいて釣りの成否を判定して（ステップＳ１９０）、失敗と判定すると釣りの結果が失敗であることを表す動画を表示部に表示させて（ステップＳ２００）からステップＳ１５０に戻って処理を繰り返し、成功と判定すると釣りの結果が成功であることを表す動画を表示部に表示させ、メモリーカードに記憶された複数の画像のうち今回表示する画像を表示部に表示する（ステップＳ２１０，Ｓ２２０）。【選択図】図７
2011130057.tif 000002
【特許請求の範囲】
【請求項１】
複数の表示用画像を順次表示するスライドショーを行うにあたり、該表示用画像を表示する前に、魚釣りに見立てて該表示用画像を釣る動画を表示する画像表示装置であって、
画像を表示する画像表示手段と、
前記複数の表示用画像を記憶する画像記憶手段と、
現在の年月日を計時する計時手段と、
前記計時手段により計時された現在の年月日に基づいて月齢又は潮名を導出し、該導出した月齢又は潮名に基づいて釣りの成功確率を導出する成功確率導出手段と、
前記魚釣りに見立てて前記表示用画像を釣る様子及び該釣りの結果を表す一連の動画パターンを複数記憶する動画記憶手段と、
前記表示用画像を釣る様子を表す動画パターンを前記動画記憶手段から読み出して前記画像表示手段に表示する釣り動画表示処理と、前記導出された成功確率に基づいて前記釣りの成否を判定する判定処理と、該判定処理で成功と判定すると前記釣りの結果が成功であることを表す動画パターンを前記動画記憶手段から読み出して前記画像表示手段に表示しその後前記複数の表示用画像のうち今回表示する表示用画像を前記画像表示手段に表示する成功時処理と、該判定処理で失敗と判定すると前記釣りの結果が失敗であることを表す動画パターンを前記動画記憶手段から読み出して前記画像表示手段に表示する失敗時処理と、を含む画像表示処理を、該判定処理で成功と判定して該成功時処理を行うまで繰り返し行う画像表示制御手段と、
を備えた画像表示装置。
【請求項２】
請求項１に記載の画像表示装置であって、
月齢又は潮名と前記成功確率とを対応付けたテーブルを記憶するテーブル記憶手段、
を備え、
前記成功確率導出手段は、現在の年月日に基づいて月齢又は潮名を導出し、該導出した月齢又は潮名に対応する成功確率を前記テーブル記憶手段から読み出すことで前記成功確率を導出する手段である、
画像表示装置。
【請求項３】
前記成功確率導出手段は、現在の年月日に基づいて月齢を導出する手段であり、
前記成功確率は、前記導出された月齢が１又は１５のときには最高の値であり、前記導出された月齢が２〜９又は１６〜２４のときには該月齢が大きくなるほど低くなる傾向の値であり、前記導出された月齢が１０又は２５のときには最低の値であり、前記導出された月齢が１１〜１４又は２６〜３０のときには該月齢が大きくなるほど高くなる傾向の値である、
請求項１又は２に記載の画像表示装置。
【請求項４】
前記成功確率導出手段は、現在の年月日に基づいて潮名を導出する手段であり、
前記成功確率は、前記導出された潮名に対応して変化する値であり、潮名が大潮，中潮，小潮，長潮の順で低くなる傾向の値である、
請求項１又は２に記載の画像表示装置。
【請求項５】
前記動画記憶手段は、前記表示用画像を釣る様子を表す動画パターンとして、既に釣れた魚の量が異なる複数の動画パターンを記憶する手段であり、
前記表示制御手段は、前記釣り動画表示処理を行うにあたり、前記導出された成功確率が高いほど、前記魚の量が多い動画パターンを前記動画記憶手段から読み出して前記画像表示手段に表示する手段である、
請求項１〜４のいずれか１項に記載の画像表示装置。
【請求項６】
前記動画記憶手段は、前記表示用画像を釣る様子を表す動画パターンとして、針にかかった獲物による釣り竿のしなりの大きさが異なる複数の動画パターンを記憶する手段であり、
前記表示制御手段は、前記釣り動画表示処理を行うにあたり、前記導出された成功確率が高いほど、前記釣り竿のしなりの大きい動画パターンを前記動画記憶手段から読み出して前記画像表示手段に表示する手段である、
請求項１〜４のいずれか１項に記載の画像表示装置。
【請求項７】
複数の表示用画像を順次表示するスライドショーを行うにあたり、該表示用画像を表示する前に、魚釣りに見立てて該表示用画像を釣る動画を表示する画像表示方法であって、
（ａ）現在の年月日に基づいて月齢又は潮名を導出し、導出した月齢又は潮名に基づいて釣りの成功確率を導出するステップと、
（ｂ）前記表示用画像を釣る様子を表す動画パターンを表示する釣り動画表示処理と、前記ステップ（ａ）で導出された成功確率に基づいて前記釣りの成否を判定する判定処理と、該判定処理で成功と判定すると前記釣りの結果が成功であることを表す動画パターンを表示しその後前記複数の表示用画像のうち今回表示する表示用画像を表示する成功時処理と、該判定処理で失敗と判定すると前記釣りの結果が失敗であることを表す動画パターンを表示する失敗時処理と、を含む画像表示処理を、該判定処理で成功と判定して該成功時処理を行うまで繰り返し行うステップと、
を含む画像表示方法。
【請求項８】
コンピューターに請求項７に記載の画像表示方法を実行させるためのプログラム。
【発明の詳細な説明】
【技術分野】
【０００１】
本発明は、画像表示装置，画像表示方法及びそのプログラムに関する。
【背景技術】
【０００２】
従来、画像表示装置としては、複数の画像を順次表示するスライドショーを行うものが知られている。例えば、特許文献１には、画像内の被写体の方向性を判定し、判定した方向性に基づいて移動方向を決定し、この移動方向に画像を移動表示する表示効果を伴ったスライドショーを行う画像再生装置が記載されている。これにより、ユーザーが飽きにくいスライドショーを提供できるとされている。
【先行技術文献】
【特許文献】
【０００３】
【特許文献１】特開２００６−１２９４５３号公報
【発明の概要】
【発明が解決しようとする課題】
【０００４】
しかしながら、特許文献１に記載の画像再生装置では、同じ画像については同じ表示効果によりスライドショーがなされるため、やはりユーザーが飽きてしまうことがあった。
【０００５】
本発明は、上述した課題に鑑みなされたものであり、ユーザーに飽きのこないスライドショーを行う画像表示装置，画像表示方法及びそのプログラムを提供することを主目的とする。
【課題を解決するための手段】
【０００６】
本発明は、上述の主目的を達成するために以下の手段を採った。
【０００７】
本発明の画像表示装置は、
複数の表示用画像を順次表示するスライドショーを行うにあたり、該表示用画像を表示する前に、魚釣りに見立てて該表示用画像を釣る動画を表示する画像表示装置であって、
画像を表示する画像表示手段と、
前記複数の表示用画像を記憶する記憶手段と、
現在の年月日を計時する計時手段と、
前記計時手段により計時された現在の年月日に基づいて月齢又は潮名を導出し、該導出した月齢又は潮名に基づいて釣りの成功確率を導出する成功確率導出手段と、
前記魚釣りに見立てて前記表示用画像を釣る様子及び該釣りの結果を表す一連の動画パターンを複数記憶する動画記憶手段と、
前記表示用画像を釣る様子を表す動画パターンを前記動画記憶手段から読み出して前記画像表示手段に表示する釣り動画表示処理と、前記導出された成功確率に基づいて前記釣りの成否を判定する判定処理と、該判定処理で成功と判定すると前記釣りの結果が成功であることを表す動画パターンを前記動画記憶手段から読み出して前記画像表示手段に表示しその後前記複数の表示用画像のうち今回表示する表示用画像を前記画像表示手段に表示する成功時処理と、該判定処理で失敗と判定すると前記釣りの結果が失敗であることを表す動画パターンを前記動画記憶手段から読み出して前記画像表示手段に表示する失敗時処理と、を含む画像表示処理を、該判定処理で成功と判定して該成功時処理を行うまで繰り返し行う画像表示制御手段と、
を備えたものである。
【０００８】
この画像表示装置は、複数の表示用画像を順次表示するスライドショーを行うにあたり、表示用画像を表示する前に魚釣りに見立てて表示用画像を釣る動画を表示するものであり、まず、現在の年月日に基づいて月齢又は潮名を導出し、導出した月齢又は潮名に基づいて釣りの成功確率を導出する。そして、表示用画像を釣る様子を表す動画パターンを表示する釣り動画表示処理と、導出された成功確率に基づいて釣りの成否を判定する判定処理と、判定処理で成功と判定すると釣りの結果が成功であることを表す動画パターンを表示しその後複数の表示用画像のうち今回表示する表示用画像を表示する成功時処理と、判定処理で失敗と判定すると釣りの結果が失敗であることを表す動画パターンを表示する失敗時処理と、を含む画像表示処理を、判定処理で成功と判定して成功時処理を行うまで繰り返し行う。このように、現在の年月日に基づく月齢又は潮名により釣りの成功確率が変化することにより、成功時処理が行われる頻度と失敗時処理が行われる頻度が変化する。したがって、ユーザーに飽きのこないスライドショーを行うことができる。
【０００９】
本発明の画像表示装置において、月齢又は潮名と前記成功確率とを対応付けたテーブルを記憶するテーブル記憶手段、を備え、前記成功確率導出手段は、現在の年月日に基づいて月齢又は潮名を導出し、該導出した月齢又は潮名に対応する成功確率を前記テーブル記憶手段から読み出すことで前記成功確率を導出する手段としてもよい。こうすれば、テーブルに基づいて成功確率を導出できるため、月齢又は潮名から成功確率を毎回計算により導出する必要がなく、計算量を節約することができる。
【００１０】
本発明の画像表示装置において、前記成功確率導出手段は、現在の年月日に基づいて月齢を導出する手段であり、前記成功確率は、前記導出された月齢が１又は１５のときには最高の値であり、前記導出された月齢が２〜９又は１６〜２４のときには該月齢が大きくなるほど低くなる傾向の値であり、前記導出された月齢が１０又は２５のときには最低の値であり、前記導出された月齢が１１〜１４又は２６〜３０のときには該月齢が大きくなるほど高くなる傾向の値としてもよい。こうすれば、釣りの成功確率が現実の魚の釣れやすさと似た傾向になるため、現実の魚の釣れやすさと無関係に成功確率が変化する場合と比べて興趣の向上が図れる。
【００１１】
本発明の画像表示装置において、前記成功確率導出手段は、現在の年月日に基づいて潮名を導出する手段であり、前記成功確率は、前記導出された潮名に対応して変化する値であり、潮名が大潮，中潮，小潮，長潮の順で低くなる傾向の値としてもよい。こうすれば、釣りの成功確率が現実の魚の釣れやすさと似た傾向になるため、現実の魚の釣れやすさと無関係に成功確率が変化する場合と比べて興趣の向上が図れる。
【００１２】
本発明の画像表示装置において、前記動画記憶手段は、前記表示用画像を釣る様子を表す動画パターンとして、既に釣れた魚の量が異なる複数の動画パターンを記憶する手段であり、前記表示制御手段は、前記釣り動画表示処理を行うにあたり、前記導出された成功確率が高いほど、前記魚の量が多い動画パターンを前記動画記憶手段から読み出して前記画像表示手段に表示する手段としてもよい。こうすれば、現在の成功確率の高低をユーザーが動画における魚の量から把握できるため、成功確率の変化を実感しやすくなる。
【００１３】
本発明の画像表示装置において、前記動画記憶手段は、前記表示用画像を釣る様子を表す動画パターンとして、針にかかった獲物による釣り竿のしなりの大きさが異なる複数の動画パターンを記憶する手段であり、前記表示制御手段は、前記釣り動画表示処理を行うにあたり、前記導出された成功確率が高いほど、前記釣り竿のしなりの大きい動画パターンを前記動画記憶手段から読み出して前記画像表示手段に表示する手段としてもよい。こうすれば、現在の成功確率の高低をユーザーが動画における釣り竿のしなり具合から把握できるため、成功確率の変化を実感しやすくなる。
【００１４】
本発明の画像表示方法は、
複数の表示用画像を順次表示するスライドショーを行うにあたり、該表示用画像を表示する前に、魚釣りに見立てて該表示用画像を釣る動画を表示する画像表示方法であって、
（ａ）現在の年月日に基づいて月齢又は潮名を導出し、導出した月齢又は潮名に基づいて釣りの成功確率を導出するステップと、
（ｂ）前記表示用画像を釣る様子を表す動画パターンを表示する釣り動画表示処理と、前記ステップ（ａ）で導出された成功確率に基づいて前記釣りの成否を判定する判定処理と、該判定処理で成功と判定すると前記釣りの結果が成功であることを表す動画パターンを表示しその後前記複数の表示用画像のうち今回表示する表示用画像を表示する成功時処理と、該判定処理で失敗と判定すると前記釣りの結果が失敗であることを表す動画パターンを表示する失敗時処理と、を含む画像表示処理を、該判定処理で成功と判定して該成功時処理を行うまで繰り返し行うステップと、
を含むものである。
【００１５】
この画像表示方法は、複数の表示用画像を順次表示するスライドショーを行うにあたり、表示用画像を表示する前に魚釣りに見立てて表示用画像を釣る動画を表示するものであり、まず、現在の年月日に基づいて月齢又は潮名を導出し、導出した月齢又は潮名に基づいて釣りの成功確率を導出する。そして、表示用画像を釣る様子を表す動画パターンを表示する釣り動画表示処理と、導出された成功確率に基づいて釣りの成否を判定する判定処理と、判定処理で成功と判定すると釣りの結果が成功であることを表す動画パターンを表示しその後複数の表示用画像のうち今回表示する表示用画像を表示する成功時処理と、判定処理で失敗と判定すると釣りの結果が失敗であることを表す動画パターンを表示する失敗時処理と、を含む画像表示処理を、判定処理で成功と判定して成功時処理を行うまで繰り返し行う。このように、現在の年月日に基づく月齢又は潮名により釣りの成功確率が変化することにより、成功時処理が行われる頻度と失敗時処理が行われる頻度が変化する。したがって、ユーザーに飽きのこないスライドショーを行うことができる。なお、本発明の画像表示方法は、上述したいずれかの画像表示装置の機能を実現するようなステップを追加してもよい。
【００１６】
本発明のプログラムは、上述した画像表示方法の各ステップをコンピューターに実行させるためのプログラムである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムをコンピューターに実行させれば、上述した画像表示方法の各ステップが実行されるため、上述した画像表示方法と同様の効果を得ることができる。
【図面の簡単な説明】
【００１７】
【図１】複合機１０の構成の概略を示す外観図。
【図２】複合機１０の電気的接続を表すブロック図。
【図３】成功確率テーブルの一例を示す説明図。
【図４】動画記憶領域５７に動画が記憶されている様子を表す説明図。
【図５】釣り動画８１〜８３の一例を示す説明図。
【図６】釣り成功動画８４，釣り失敗動画８５の一例を示す説明図。
【図７】スライドショー実行処理の一例を示すフローチャート。
【図８】メモリーカード３２に記憶された複数の画像を示す説明図。
【図９】ステップＳ２１０〜２２０により表示される動画の様子を示す説明図。
【発明を実施するための形態】
【００１８】
次に、本発明の実施の形態を図面を用いて説明する。図１は、本発明の実施形態である複合機１０の構成の概略を示す外観図であり、図２は、複合機１０の電気的接続を表すブロック図である。
【００１９】
図１に示すように、本実施形態の複合機１０は、印刷を実行する印刷デバイス２０と、画像を読み取る読取デバイス２２と、メモリーカード３２に対するデータの読み書きを行うメモリーカードコントローラー３４（図２参照）と、各種情報を表示したりユーザの指示を入力したりする操作パネル４０と、装置全体の制御を司るメインコントローラー５０と、現在の年月日を計時可能なリアルタイムクロック（ＲＴＣ）６０とを備えている。この複合機１０は、図２に示すように、印刷デバイス２０や読取デバイス２２、メモリーカードコントローラー３４、操作パネル４０、メインコントローラー５０，ＲＴＣ６０がバス７０を介して各種制御信号やデータのやり取りをすることができるよう構成されている。この複合機１０は、プリンターやスキャナーとして機能する他、複数の画像を操作パネル４０の表示部４２に順次表示するスライドショーを行う機能を有している。
【００２０】
印刷デバイス２０は、メインコントローラー５０から印刷指令を受けると、その印刷指令の対象である印刷ジョブに基づいて、印刷ヘッドから記録紙Ｓへインクを吐出することにより印刷を実行する周知のインクジェット方式のカラープリンタ機構として構成されている。
【００２１】
読取デバイス２２は、メインコントローラー５０からの読取指令を受けると、ガラス台３６に載置された書類を画像データとして読み取る周知のフルカラースキャナー機構として構成されている。この読取デバイス２２は、書類に向かって発光したあとの反射光をレッド（Ｒ）、グリーン（Ｇ）、ブルー（Ｂ）の各色に分解して読取データとする周知のカラーイメージセンサを備えている。
【００２２】
メモリーカードコントローラー３４は、操作パネル４０の横に備えられているメモリーカードスロット３０に挿入されたメモリーカード３２との間でデータの入出力を行うことが可能なように構成されている。メモリーカード３２には、例えばデジタルカメラで撮影された複数の画像が記憶されている。
【００２３】
操作パネル４０は、液晶ディスプレイである表示部４２と、コピーボタンや印刷ボタン、スキャンボタン、電源ボタン、テンキーなどを含む操作部４４とを備えている。この操作パネル４０は、各種情報を表示部４２に表示したりユーザーの指示を操作部４４の操作を介して入力したりする。
【００２４】
メインコントローラー５０は、ＣＰＵ５２を中心とするマイクロプロセッサとして構成されており、電気的に書き換え可能で電源を切ってもデータが保持されるフラッシュＲＯＭ５４と、一時的にデータを記憶するＲＡＭ５８とを備えている。ＣＰＵ５２は、印刷デバイス２０や読取デバイス２２からの各種動作信号や各種検出信号、各種データを入力したり、メモリーカードコントローラー３４を介してメモリーカード３２に記憶されたデータを入力したり、操作パネル４０の操作部４４の操作に応じて発生する操作信号を入力したりする。また、印刷を実行するよう印刷デバイス２０に指令を出力したり、読取デバイス２２へ各種制御信号を出力したり、メモリーカードコントローラー３４を介してメモリーカード３２に記憶させるデータを出力したり、操作パネル４０の表示部４２に制御信号や表示するデータを出力したりする。フラッシュＲＯＭ５４には、メモリーカード３２に記憶された画像を順次表示部４２に表示させるスライドショー実行処理を行う図示しないスライドショー実行プログラムが記憶されている。詳しくは後述するが、このスライドショー実行処理では、単にメモリーカード３２に記憶された画像を順次表示するのではなく、魚釣りに見立ててメモリーカード３２に記憶された画像のうち今回表示する画像を釣る様子を表す動画を表示部４２に表示し、釣りが成功した場合にはその釣れた画像を表示部４２に表示するようになっている。また、フラッシュＲＯＭ５４は、各種処理プログラムを記憶する図示しない記憶領域の他、スライドショー実行処理で用いる各種データを記憶するための記憶領域である月齢算出一覧表記憶領域５５，成功確率テーブル記憶領域５６，及び動画記憶領域５７を有している。ＲＡＭ５８は、各種設定値を一時的に記憶したり、印刷させるデータや読取デバイス２２が読み取ったデータを一時的に記憶したり、メモリーカード３２から読み出した画像を一時的に記憶したりする図示しないバッファを備えている。
【００２５】
月齢算出一覧表記憶領域５５には、現在の年月日から現在の月齢Ｍを導出するための月齢算出一覧表が記憶されている。この月齢算出一覧表の一例を表１に示す。表１はハーヴィーの月齢算出一覧表と呼ばれるものである。この表１から現在の年月に対応する値を導出し、この値と下記の式（１）とから現在の月齢Ｍを導出することができる。例えば、２００９年９月２１日であれば、表１から値９が導出され、値９と式（１）とから月齢Ｍの値として値１が導出される。なお、表１では年については２００８年〜２０２６年のみ記載しているが、表１の値は１９年間で一巡するため、２００７年以前や２０２７年以降も表１を用いることが可能である。例えば２０２７年における月齢Ｍを導出するためには、表１の２００８年の値を用いればよい。
【００２６】
【表１】
2011130057.tif 000003
【００２７】
月齢＝｛（表１から導出した値）＋日｝ｍｏｄ３０＋１      （１）
【００２８】
成功確率テーブル記憶領域５６には、現在の月齢Ｍと釣りが成功する確率である成功確率Ｒとを対応づけた成功確率テーブルが記憶されている。成功確率テーブルの一例を図３に示す。図示するように、成功確率テーブルでは、月齢Ｍの値０〜３０と成功確率Ｒの値５０〜１００とが対応付けられている。具体的には、成功確率Ｒは、月齢Ｍが値１，１５のときには最高の値１００となり、月齢Ｍが２〜９，１６〜２４のときには月齢Ｍの値が大きいほど低い値となり、月齢Ｍが１０，２５のときには最低の値５０となり、月齢Ｍが１１〜１４又は２６〜３０のときには月齢Ｍの値が大きいほど高い値となるように設定されている。
【００２９】
動画記憶領域５７には、スライドショー実行処理に用いる複数の動画が記憶されている。図４は、動画記憶領域５７に動画が記憶されている様子を表す説明図である。図示するように、動画記憶領域５７には、低確率時釣り動画８１，中確率時釣り動画８２，高確率時釣り動画８３，釣り成功動画８４，釣り失敗動画８５が記憶されている。低確率時釣り動画８１，中確率時釣り動画８２，高確率時釣り動画８３の一例を図５（ａ）〜（ｃ）に示す。低確率時釣り動画８１，中確率時釣り動画８２，高確率時釣り動画８３はいずれもペンギンのキャラクターが釣りを行う様子を表す動画であり、具体的には釣り針を水中に投げ入れるところから釣り針にかかった獲物を釣り上げようとするところまでの一連の様子を表す動画である。図５に示すように、低確率時釣り動画８１，中確率時釣り動画８２，高確率時釣り動画８３のうち、釣り針を水中に投げ入れる様子を表す動画には、既に釣れた魚やその魚を入れるバケツが描かれる釣果表示部分９１が含まれており、釣り針にかかった獲物を釣り上げようとする様子を表す動画には、獲物により釣り竿がしなる様子が描かれる釣り竿表示部分９２が含まれている。この釣果表示部分９１に描かれる魚の数は、低確率時釣り動画８１，中確率時釣り動画８２，高確率時釣り動画８３の順で多くなっており、釣り竿表示部分９２に描かれる釣り竿のしなり具合は、低確率時釣り動画８１，中確率時釣り動画８２，高確率時釣り動画８３の順で大きくなっている。低確率時釣り動画８１，中確率時釣り動画８２，高確率時釣り動画８３は、この釣果表示部分９１及び釣り竿表示部分９２に描かれる内容が異なる以外はいずれも同じ動画である。釣り成功動画８４，釣り失敗動画８５の一例を図６（ａ），（ｂ）に示す。釣り成功動画８４，釣り失敗動画８５は釣りの結果を表す動画であり、低確率時釣り動画８１，中確率時釣り動画８２，高確率時釣り動画８３に続いて釣り針にかかった獲物を釣り上げた時の一連の様子を表す動画である。釣り成功動画８４は、釣りが成功し釣果としてメモリーカード３２に記憶されたいずれかの画像が釣れた様子を表す動画であり、釣れた画像を表示するための画像表示部分９３を有している。釣り失敗動画８５は、釣りが失敗し釣果として長靴が釣れた様子を表す動画である。
【００３０】
ＲＴＣ６０は、現在の年月日及び時刻を計時可能な装置である。このＲＴＣ６０は、複合機１０本体とは独立した電源である図示しないバッテリーを備えており、これにより複合機１０の電源の入切に関係なく計時が可能となっている。
【００３１】
次に、こうして構成された本実施形態の複合機１０の動作、特に、上述したスライドショー実行処理を行う場合の動作について説明する。図７は、メインコントローラー５０のＣＰＵ５２により実行されるスライドショー実行処理の一例を示すフローチャートである。この処理は、例えば、スロット３０にメモリーカード３２が挿入された状態で、ユーザーがスライドショーを行うよう操作パネル４０を介して指示したときに実行される。
【００３２】
この処理が実行されると、ＣＰＵ５２は、まず、バス７０を介してＲＴＣ６０から現在の年月日を表すデータを取得し（ステップＳ１００）、取得した年月日のデータ，月齢算出一覧表記憶領域５５に記憶された月齢算出一覧表，及び式（１）に基づいて現在の月齢Ｍを導出する（ステップＳ１１０）。続いて、成功確率テーブル記憶領域５６に記憶された成功確率テーブルから、ステップＳ１１０で導出した月齢Ｍに対応する成功確率Ｒを導出する（ステップＳ１２０）。例えば、現在が２００９年９月２２日である場合には、上述したように表１の月齢算出一覧表と式（１）とからステップＳ１１０で月齢Ｍとして値２が導出され、ステップＳ１２０で図３に示した成功確率テーブルから月齢Ｍ＝２に対応する成功確率Ｒとして値９５が導出されることになる。
【００３３】
続いて、ＣＰＵ５２は、メモリーカードコントローラー３４を介して、メモリーカード３２に記憶されている画像の画像数Ｎを取得し（ステップＳ１３０）、メモリーカード３２に記憶された何番目の画像を表示するかを表すポインターＰを値１に初期化する（ステップＳ１４０）。例えば、図８に示すように、メモリーカード３２に６個のＪＰＥＧ形式の画像が記憶されているとすると、ＣＰＵ５２はステップＳ１３０で画像数Ｎとして値７を取得する。なお、図８における「００１．ｊｐｇ」〜「００６．ｊｐｇ」は各画像のファイル名を表す。
【００３４】
そして、ＣＰＵ５２は、ステップＳ１２０で導出した成功確率Ｒの値が低確率であるか中確率であるか高確率であるかを調べる（ステップＳ１５０）。ここで、本実施形態では成功確率Ｒが５０以上６５未満であれば低確率と判定し、成功確率Ｒが６５以上８５未満であれば中確率と判定し、成功確率Ｒが８５以上１００以下であれば高確率と判定するものとした。そして、成功確率Ｒが低確率であると判定すると低確率時釣り動画８１を動画記憶領域５７から読み出して表示するよう表示部４２を制御し（ステップＳ１６０）、成功確率Ｒが中確率であると判定すると中確率時釣り動画８２を動画記憶領域５７から読み出して表示するよう表示部４２を制御し（ステップＳ１７０）、成功確率Ｒが高確率であると判定すると高確率時釣り動画８３を動画記憶領域５７から読み出して表示するよう表示部４２を制御する（ステップＳ１８０）。こうすることで、表示部４２に上述した釣りを行う様子を表す動画を表示するにあたり、成功確率Ｒが高いほど釣果表示部分９１には魚の量が多く描かれ、釣り竿表示部分９２には大きくしなる釣り竿が描かれた動画が表示される。例えば、成功確率Ｒが上述した値９５であった場合には、ＣＰＵ５２は、図５（ｃ）に示した高確率時釣り動画８３を動画記憶領域５７から読み出して表示するよう表示部４２を制御する。
【００３５】
ステップＳ１６０〜Ｓ１８０のいずれかの処理を行うと、ＣＰＵ５２は、ステップＳ１２０で導出した成功確率Ｒに基づいて釣りの成否を判定する（ステップＳ１９０）。釣りの判定は、例えば、値１〜１００までの値のうちいずれかの値をランダムに算出し、この値が成功確率Ｒの値以下であれば成功と判定し、成功確率Ｒの値より大きければ失敗と判定することで行うことができる。そして、ステップＳ１９０で失敗と判定した場合には、動画記憶領域５７に記憶された釣り失敗動画８５（図６（ｂ）参照）を表示するよう表示部４２を制御して（ステップＳ２００）、上述したステップＳ１５０以降の処理を行う。これにより、ステップＳ１９０で成功と判定するまではステップＳ１５０〜Ｓ２００の処理が繰り返されて、表示部４２には釣りを行う様子及び釣りに失敗した様子を表す動画が表示されることになる。なお、上述したように成功確率Ｒは年月日から導出される月齢Ｍによって変化する。そのため、例えば月齢Ｍに対応する成功確率Ｒが値１００である年月日においては、スライドショー実行処理でステップＳ１９０の処理を何度行っても失敗と判定されることはない。一方、例えば月齢Ｍに対応する成功確率Ｒが値５０である年月日においては、スライドショー実行処理でステップＳ１９０の処理を複数回行うと、５０％の確率で失敗と判定されることになる。このように、ステップＳ１９０で成功と判定される頻度とステップＳ１９０で失敗と判定される頻度とが日によって異なることになる。
【００３６】
そして、ステップＳ１９０で成功と判定した場合には、メモリーカード３２に記憶された複数の画像をファイル名順に並べたときのＰ番目の画像を今回表示する画像に決定して、この画像を釣り成功動画８４の画像表示部分９３に組み込んだ動画を表示するよう表示部４２を制御する（ステップＳ２１０）。なお、画像表示部分９３に今回表示する画像を組み込む際には、画像表示部分９３の形状に合わせて今回表示する画像を回転・拡大縮小等適宜加工する。ステップＳ２１０の処理を行うと、ＣＰＵ５２は、ステップＳ２１０で今回表示する画像に決定したＰ番目の画像のみを一定時間表示するよう表示部４２を制御する（ステップＳ２２０）。ポインタＰが値１の場合において、ステップＳ２１０ではメモリーカード３２に記憶された６個の画像のうち１番目の画像である画像「００１．ｊｐｇ」を今回表示する画像に決定して、釣り成功動画８４を表示すると共に画像「００１．ｊｐｇ」を釣り功動画８４の画像表示部分９３に表示するように表示部４２を制御する。そして、ステップＳ２２０では、画像「００１．ｊｐｇ」のみを表示するように表示部４２を制御する。この場合にステップＳ２１０の指示を受けて表示部４２に表示される釣り成功動画８４及び画像「００１．ｊｐｇ」の様子を図９（ａ）に、ステップＳ２２０の指示を受けて表示部４２に表示される画像「００１．ｊｐｇ」の様子を図９（ｂ）に示す。なお、以上のステップＳ１６０〜Ｓ２２０の処理により、表示部４２において釣りを行う様子及び釣りが成功した様子を表す動画とＰ番目（ここでは１番目）の画像とを表示するスライドショーが行われることになる。
【００３７】
続いて、ＣＰＵ５２は、ポインタＰを値１インクリメントする（ステップＳ２３０）。そして、ポインタＰがステップＳ１３０で取得した画像数Ｎを超過しているか否かを判定し（ステップＳ２４０）、肯定的な判定をするとスライドショー実行処理を終了し、否定的な判定をするとステップＳ１５０以降の処理を行う。ポインタＰがステップＳ２３０で値２になった場合において、ステップＳ２４０では否定的な判定をして、ステップＳ１５０に戻り、上述したステップＳ１５０〜Ｓ２４０の処理を行う。この場合、ポインタＰが値２となっているので、ステップＳ２１０ではメモリーカード３２に記憶された６個の画像のうち２番目の画像である画像「００２．ｊｐｇ」を今回表示する画像に決定して、ステップＳ２１０，Ｓ２２０の処理により表示部４２に表示する。以降同様に、ステップＳ２４０で否定的な判定がなされるまでステップＳ１５０〜Ｓ２４０の処理を繰り返し、メモリーカード３２に記憶された６個の画像を順次表示部４２に表示するスライドショーが行われることになる。そして、メモリーカード３２に記憶された６個の画像が全て表示部４２に表示され、ステップＳ２３０でポインタＰが値７になると、ステップＳ２４０で否定的な判定がなされてスライドショー実行処理を終了する。
【００３８】
ここで、本実施形態の構成要素と本発明の構成要素との対応関係を明らかにする。本実施形態の複合機１０が本発明の画像表示装置に相当し、表示部４２が画像表示手段に相当し、メモリーカード３２が画像記憶手段に相当し、ＲＴＣ６０が計時手段に相当し、ＣＰＵ５２が成功確率導出手段及び画像表示制御手段に相当し、フラッシュＲＯＭ５４が動画記憶手段及びテーブル記憶手段に相当する。なお、本実施形態では複合機１０の動作の説明をすることにより本発明の画像表示方法の一例も明らかにしている。
【００３９】
以上詳述した本実施形態の複合機１０によれば、現在の年月日に基づく月齢により釣りの成功確率Ｒが変化することで、スライドショー実行処理を行うにあたり成功確率ＲによってステップＳ１９０で失敗と判定してステップ２００の処理を行う頻度と成功と判定してステップＳ２１０，Ｓ２２０の処理を行う頻度とが日によって変化する。したがって、ユーザーに飽きのこないスライドショーを行うことができる。
【００４０】
また、ステップＳ１２０では成功確率テーブルから現在の月齢Ｍに対応する成功確率Ｒを読み出すことで成功確率Ｒを導出している。こうすることで、成功確率テーブルに基づいて成功確率を導出でき、月齢Ｍから成功確率Ｒを毎回計算により導出する必要がなく、計算量を節約することができる。
【００４１】
さらに、釣りの成功確率Ｒが現実の魚の釣れやすさと似た傾向になるため、現実の魚の釣れやすさと無関係に成功確率Ｒが変化する場合と比べて興趣の向上が図れる。また、釣りが成功したことを表す釣り成功動画８４が表示されやすいか否かによって現在が釣りに適した日かどうかを知ることができる。さらに、月齢と魚の釣れやすさとの相関を知っているユーザーにとっては、魚の釣れやすさから現在の月齢が把握できる。
【００４２】
さらにまた、ステップＳ１５０〜Ｓ１８０の処理により成功確率Ｒが高いほど魚の数が多い動画が表示部４２に表示される。こうすることで、現在の成功確率Ｒの高低をユーザーが動画における魚の量から把握できるため、成功確率Ｒの変化を実感しやすくなる。
【００４３】
そしてまた、ステップＳ１５０〜Ｓ１８０の処理により成功確率Ｒが高いほど釣り竿のしなりの大きい動画が表示部４２に表示される。こうすることで、現在の成功確率Ｒの高低をユーザーが動画における釣り竿のしなり具合から把握できるため、成功確率Ｒの変化を実感しやすくなる。
【００４４】
なお、本発明は上述した実施形態に何ら限定されることはなく、本発明の技術的範囲に属する限り種々の態様で実施し得ることはいうまでもない。
【００４５】
例えば、上述した実施形態では、成功確率Ｒは図３の成功確率テーブルにより導出するものとしたが、月齢に基づいて導出するものであれば他のテーブルにより導出してもよい。また、月齢ではなく潮名に基づいて成功確率Ｒを導出するものとしてもよい。潮名には、大潮，中潮，小潮，長潮があり、例えば月齢１〜２，１４〜１７，２９〜３０が大潮、月齢３〜６，１１〜１３，１８〜２１，２６〜２８が中潮、月齢７〜９，２２〜２４が小潮，月齢１０，２５に対応する日が長潮と呼ばれる。この潮名と成功確率Ｒとを対応付けたテーブルをフラッシュＲＯＭ５４に記憶しておき、ステップＳ１１０で現在の年月日から潮名を導出して、ステップＳ１２０で潮名とこのテーブルとから成功確率Ｒを導出するものとしてもよい。この場合のテーブルでは、潮名が大潮，中潮，小潮，長潮の順で成功確率Ｒが低くなる傾向の値となるように潮名と成功確率Ｒとを対応付けておいてもよい。なお、月齢と潮名との対応は上記の対応に限られるものではない。また、長潮の翌日は若潮とも呼ばれるため、潮名と成功確率Ｒとを対応付けたテーブルにおいて若潮と成功確率Ｒとが対応付けられていても良い。この場合、若潮に対応する成功確率Ｒの値は、例えば長潮に対応する成功確率Ｒの値と中潮に対応する成功確率Ｒの値との間の値としてもよい。
【００４６】
上述した実施形態では、成功確率Ｒは５０〜１００の間の値ととしたが、０超過１００以下の値であればよい。
【００４７】
上述した実施形態では、ステップＳ２１０において、メモリーカード３２に記憶された複数の画像をファイル名順に並べたときのＰ番目の画像を今回表示する画像に決定するものとしたが、今回表示する画像はどのように決定してもよい。例えば複数の画像をファイルの作成年月日の古い順又は新しい順に並べたときのＰ番目の画像を今回表示する画像に決定するものとしてもよいし、複数の画像からランダムに選択した１つの画像を今回表示する画像として決定してもよい。
【００４８】
上述した実施形態では、ステップＳ１１０において現在の年月日に基づいて月齢算出一覧表と式（１）とにより月齢Ｍを導出するものとしたが、表１の月齢算出一覧表以外の表により月齢Ｍを導出したり、表を用いずに計算式のみで現在の年月日から月齢Ｍを導出するものとしてもよい。また、上述した実施形態において年月日と月齢算出一覧表と式（１）とにより導出される月齢Ｍは必ず整数となるが、月齢Ｍは整数に限らない。例えば、現在の年月日及び時刻と計算式とにより小数点第１位までの月齢Ｍを算出してもよい。
【００４９】
上述した実施形態では、ステップＳ１２０において月齢Ｍに対応する成功確率Ｒを成功確率テーブルから導出するものとしたが、計算式により月齢Ｍから成功確率Ｒを導出するものとしてもよい。
【００５０】
上述した実施形態では、釣果表示部分９１に描かれる魚の数が、低確率時釣り動画８１，中確率時釣り動画８２，高確率時釣り動画８３の順で多くなるものとしたが、魚の数に限らず、既に釣れた魚の量が異なるものであればよい。例えば釣れた魚の大きさが低確率時釣り動画８１，中確率時釣り動画８２，高確率時釣り動画８３の順で大きくなるものとしてもよい。また、低確率時釣り動画８１，中確率時釣り動画８２，高確率時釣り動画８３は超過表示部分９１及び釣り竿表示部分９２が異なるものとしたが、超過表示部分９１及び釣り竿表示部分９２のいずれかのみが異なる動画としてもよい。さらに、ＣＰＵ５２は、ステップＳ１５０の判定を行わないものとし、成功確率Ｒに関わらす釣りを行う様子を表す動画として常に同じ動画を表示部４２に表示するよう制御するものとしてもよい。
【００５１】
上述した実施形態では、ステップＳ１９０で失敗と判定するとステップＳ２００で釣り失敗動画８４を表示部４２に表示するよう指示するものとしたが、ステップＳ１９０で失敗と判定したときに表示する動画が複数パターン（例えば釣り失敗動画８４の他にやかんが釣れる動画や釣り糸が切れてしまう動画など）動画記憶手段５７に記憶されており、そのうちのいずれかをステップＳ２００で表示するものとしてもよい。こうすれば、ステップＳ２００により常に失敗動画８４が表示される場合と比較してユーザーに飽きのこないスライドショーを行うことができる。
【００５２】
上述した実施形態では、ＣＰＵ５２は、ステップＳ１９０で成功と判定されるとステップＳ２２０でメモリーカード３２に記憶された画像を１つ表示部４２に表示するものとしたが、一度ステップＳ１９０で成功と判定されると以降はメモリーカード３２に記憶された画像を全て表示部４２に表示するまで（ステップＳ２４０で肯定判定するまで）常にステップＳ１９０では成功と判定するものとしてもよい。
【００５３】
上述した実施形態では、本発明の実施形態として複合機１０について説明したが、複合機に限らず画像を表示可能な画像表示装置であればどのような装置であってもよい。例えば、印刷デバイス２０や読取りデバイス２２を備えず、全体がフォトフレームを模した形状のデジタルフォトフレームとしてもよいし、プリンターとしての機能を付加したデジタルフォトフレームとしてもよい。
【符号の説明】
【００５４】
１０  複合機、２０  印刷デバイス、２２  読取デバイス、３０  メモリーカードスロット、３２  メモリーカード、３４  メモリーカードコントローラー、３６  ガラス台、４０  操作パネル、４２  表示部、４４  操作部、５０  メインコントローラー、５２  ＣＰＵ、５４  フラッシュＲＯＭ、５５  月齢算出一覧表記憶領域、５６  成功確率テーブル記憶領域、５７  動画記憶領域、５８  ＲＡＭ、６０  リアルタイムクロック（ＲＴＣ）、７０  バス、８１  低確率時釣り動画、８２  中確率時釣り動画、８３  高確率時釣り動画、８４釣り成功動画、８５  釣り失敗動画、９１  釣果表示部分、９２  釣り竿表示部分、９３  画像表示部分、Ｓ  記録紙。
【図１】
2011130057.tif 000004
【図２】
2011130057.tif 000005
【図３】
2011130057.tif 000006
【図４】
2011130057.tif 000007
【図５】
2011130057.tif 000008
【図６】
2011130057.tif 000009
【図７】
2011130057.tif 000010
【図８】
2011130057.tif 000011
【図９】
2011130057.tif 000012